(57)【要約】      （修正有）【課題】側部吸込口と側部吹出口との間のショートサーキットの発生を防止し、室外熱交換器の熱交換効率を向上させるようにした一体型空気調和機を提供する。【解決手段】外箱１の両側面には、仕切板と室外熱交換器１１との間に対向する面に切起しによる複数の側部吸込ルーバー１７ｂ１からなる側部吸込口１８ｂ１と、前記室外熱交換器１１の側部１１ｂ１に対向する面に切起しによる複数の側部吹出ルーバー２０ａからなる側部吹出口２１ａを備え、前記外箱１の後面には、後部吹出口２２を備えてなる一体型空気調和機において、前記側部吸込ルーバー１７ｂ１と前記側部吹出ルーバー２０ａは、前記外箱１の外面先端側が拡開するように傾斜角θａ，θｂ，θｃをもたせた。【選択図】図３
2013072592.tif 000002
【特許請求の範囲】
【請求項１】
前面と後面が開口した筒状の外箱と、同外箱の内部を仕切板で室内側熱交換室と室外側熱交換室とに区画し、前記室内側熱交換室には、前記外箱の前面を覆い、一側に室内側吸込口を他側に室内側吹出口を備えた前面パネルを配置し、前記室内側吸込口と前記仕切板との間に、室内熱交換器とシロッコファンとを備え、前記室外側熱交換室には、前記外箱の後面に対向する後部と両側面に対向する側部とを有してＵ字状に形成された室外熱交換器とプロペラファンと圧縮機とを備え、前記外箱の両側面には、前記仕切板と前記室外熱交換器との間に対向する面に切起しによる複数の側部吸込ルーバーからなる側部吸込口と、前記室外熱交換器の側部に対向する面に切起しによる複数の側部吹出ルーバーからなる側部吹出口を備え、前記外箱の後面には、後部吹出口を備えてなる一体型空気調和機において、
前記側部吸込ルーバーと前記側部吹出ルーバーは、前記外箱の外面先端側が拡開するように傾斜角を有してなることを特徴とする一体型空気調和機。
【請求項２】
前記側部吹出ルーバーは、前記側部吸込ルーバー近傍の前記外箱に対する傾斜角が、前記後部吹出口近傍の前記外箱に対する傾斜角よりも小さく形成されてなることを特徴とする請求項１に記載の一体型空気調和機。
【請求項３】
前記側部吸込ルーバーの前記外箱に対する傾斜角が、前記側部吸込ルーバー近傍の前記側部吹出ルーバーの前記外箱に対する傾斜角よりも大きく形成されてなることを特徴とする請求項１または請求項２に記載の一体型空気調和機。
【発明の詳細な説明】
【技術分野】
【０００１】
本発明は、一体型空気調和機に係わり、より詳細には、室外側熱交換室の側部吸込口と側部吹出口との間のショートサーキットの発生を防止する構造に関するものである。
【背景技術】
【０００２】
従来の一体型空気調和機は、図５に示すように、筒状に形成された外箱１０１内に出し入れ可能に収納されるベース１０２上の内部ユニット１０３が、仕切板１０４で室内側熱交換室１０５と室外側熱交換室１１０とに区画されたものが知られている（例えば、特許文献１）。
【０００３】
室内側熱交換室１０５には、室内熱交換器１０６と、シロッコファン１０７とが設けられ、前面下部に室内側吸込口１０８が設けられ、前面上部に室内側吹出口１０９が設けられて、室内側吸込口１０８から吸い込まれた空気は、室内熱交換器１０６で冷媒と熱交換されたのち、図５（Ｂ）の矢印ａ１，ａ２に示すように室内側吹出口１０９から吹き出される。
【０００４】
室外側熱交換室１１０には、Ｕ字状に形成された室外熱交換器１１１と、プロペラファン１１２と、シロッコファン１０７およびプロペラファン１１２を連結して駆動する駆動モータ１１３と、圧縮機１１４とが設けられている。
【０００５】
室外側熱交換室１１０の後面には、室外熱交換器１１１の後部に対向する室外側の後部吸込口１１５が設けられ、室外熱交換器１１０の両側部に対向する外箱１０１の両側面には、吸込ルーバーの切起し開口部からなる室外側の側部吸込口１１６ａ，１１６ｂが設けられ、室外熱交換器１１１と仕切板１０４との間の両側部に対応する外箱１０１の両側面に、吹出ルーバーの切起し開口部からなる室外側の側部吹出口１１７ａ，１１７ｂが設けられ、上部に対応する外箱１０１の上面に、吹出ルーバーの切起し開口部からなる室外側の上部吹出口１１７ｃが設けられている。
【０００６】
室外側の後部吸込口１１５から吸い込まれた外気は、室外熱交換器１１１で冷媒と熱交換されたのち、図５の矢印ｂ１，ｂ２と、ｄ１，ｄ２とに示すように室外側熱交換室１１０の側部吹出口１１７ａ，１１７ｂおよび上部吹出口１１７ｃから吹き出されるとともに、室外側熱交換室１１０の側部吸込口１１６ａ，１１６ｂから吸い込まれた外気は、室外熱交換器１１１の冷媒と熱交換されたのち、図５（Ａ）の矢印ｃ１，ｃ２に示すように側部吹出口１１７ａ，１１７ｂから吹き出される。
【０００７】
しかしながら、小型化を図ることで外箱１０１に備えた室外側熱交換室１１０の側部吸込口１１６ａと側部吹出口１１７ａとが近接し、側部吸込口１１６ｂと側部吹出口１１７ｂとが近接し、且つ、側部吸込口１１６ａ，１１６ｂに備えた吸込ルーバーと、側部吹出口１１７ａ，１１７ｂに備えた吹出ルーバーとが平行に形成されているため、室外熱交換器１１１で熱交換されて矢印ｃ１，ｃ２に示す側部吹出口１１７ａ，１１７ｂから吹き出される空気の一部が、図５（Ａ）の矢印ｅ１，ｅ２に示すようにショートサーキットが発生して側部吸込口１１６ａ，１１６ｂから吸い込まれ、室外熱交換器１１１の熱交換効率が低下する問題があった。
【先行技術文献】
【特許文献】
【０００８】
【特許文献１】特開昭５９−６０１３３号公報
【発明の概要】
【発明が解決しようとする課題】
【０００９】
本発明は、上記問題点に鑑み、室外側熱交換室の側部吸込口と側部吹出口との間のショートサーキットの発生を防止し、室外熱交換器の熱交換効率を向上させるようにした一体型空気調和機を提供することを目的とする。
【課題を解決するための手段】
【００１０】
上述した目的を達成するため、本発明は以下に示す特徴を備えている。
【００１１】
前面と後面が開口した筒状の外箱と、同外箱の内部を仕切板で室内側熱交換室と室外側熱交換室とに区画し、前記室内側熱交換室には、前記外箱の前面を覆い、一側に室内側吸込口を他側に室内側吹出口を備えた前面パネルを配置し、前記室内側吸込口と前記仕切板との間に、室内熱交換器とシロッコファンとを備え、前記室外側熱交換室には、前記外箱の後面に対向する後部と両側面に対向する側部とを有してＵ字状に形成された室外熱交換器とプロペラファンと圧縮機とを備え、前記外箱の両側面には、前記仕切板と前記室外熱交換器との間に対向する面に切起しによる複数の側部吸込ルーバーからなる側部吸込口と、前記室外熱交換器の側部に対向する面に切起しによる複数の側部吹出ルーバーからなる側部吹出口を備え、前記外箱の後面には、後部吹出口を備えてなる一体型空気調和機において、
前記側部吸込ルーバーと前記側部吹出ルーバーは、前記外箱の外面先端側が拡開するように傾斜角を有してなることを特徴としている。
【００１２】
また、前記側部吹出ルーバーは、前記側部吸込ルーバー近傍の前記外箱に対する傾斜角が、前記後部吹出口近傍の前記外箱に対する傾斜角よりも小さく形成されてなることを特徴としている。
【００１３】
また、前記側部吸込ルーバーの前記外箱に対する傾斜角が、前記側部吸込ルーバー近傍の前記側部吹出ルーバーの前記外箱に対する傾斜角よりも大きく形成されてなることを特徴としている。
【発明の効果】
【００１４】
本発明によれば、室外側熱交換室の側部吸込口と側部吹出口との間のショートサーキットの発生を防止し、室外熱交換器の熱交換効率を向上させるようにした一体型空気調和機が提供できる。
【図面の簡単な説明】
【００１５】
【図１】本発明による一体型空気調和機の外観斜視図で、（Ａ）は前面側からの斜視図であり、（Ｂ）は背面側からの斜視図である。
【図２】本発明による一体型空気調和機をファンモータの中心で切って平面から見た断面図である。
【図３】図２の要部を拡大した図である。
【図４】図１（Ｂ）に示すＹ矢視図である。
【図５】従来例による一体型空気調和機の説明図で、（Ａ）は平面断面図であり、（Ｂ）は側面断面図である。
【発明を実施するための形態】
【００１６】
以下、本発明の実施の形態を、添付図面に基づいた実施例として詳細に説明する。
【００１７】
本発明による一体型空気調和機は、図１乃至図３に示すように、前面と後面を開口した板金による筒状の外箱１内にベース２が出し入れ可能に収納され、ベース２上に立設された仕切板４により、外箱１内の内部ユニット３が室内側熱交換室５と室外側熱交換室６とに区画されている。
【００１８】
一体型空気調和機は、建屋の壁体２４に固定された据付台２３の上部に室内側熱交換室５の前部を被空調室に向けて設置され、室内側熱交換室５の外郭部をなす外箱１の一部が開口した建屋の壁体２４によって囲繞され、室外側熱交換室６の外郭部をなす外箱１が壁体２４の外側に設置されている。
【００１９】
室内側熱交換室５には、外箱１の前面を覆い、一側に室内側吸込口１５を他側に室内側吹出口１６を備えた前面パネル１０を配置し、室内側吸込口１５と仕切板４との間に、室内熱交換器７とシロッコファン８とを備えるとともに、室内側吸込口１５と室内側吹出口１６とを結ぶダクト９を備えている。
【００２０】
これにより、室内側吸込口１５から室内側熱交換室５に吸い込まれた空気が、室内熱交換器７で冷媒と熱交換されたのち、図２の矢印Ａに示すように、ダクト９を流通し室内側吹出口１６から吹き出されることによって被空調室の空気調和が行われる。
【００２１】
室外側熱交換室６には、外箱１の後面に対向する後部１１ａと、両側面に対向する側部１１ｂ１，１１ｂ２とを有してＵ字状に形成された室外熱交換器１１と、室外熱交換器１１の後部１１ａに対向して設けたプロペラファン１２と、これら室外熱交換器１１およびプロペラファン１２を囲む略円筒状のベルマウス１９ａを有する導風板１９と、プロペラファン１２およびシロッコファン８を駆動するファンモータ１３と、圧縮機１４とを備えている。
【００２２】
外箱１の上面には、図１乃至図４に示すように、仕切板４と室外熱交換器１１との間に対向して、前後方向に延びる複数の切込みと同時に、切込みの側部を片面に突出または膨出するように平行に切起しをするプレス加工により、複数の切起しで鎧戸状に開口された上部吸込口１８ａを備えている。
【００２３】
外箱１の両側面には、仕切板４と室外熱交換器１１との間に対向する面に切起しによる複数の側部吸込ルーバー１７ｂ１，１７ｂ２からなる室外側の側部吸込口２１ａ，２１ｂを備え、室外熱交換器１１の側部１１ｂ１，１１ｂ２に近接対向する面に切起しによる複数の側部吹出ルーバー２０ａ，２０ｂからなる室外側の側部吹出口２１ａ，２１ｂを備えている。また、外箱１の後面には、室外熱交換器１１の後部１１ａに近接対向する室外側の後部吹出口２２を備えている。
【００２４】
これにより、室外側の上部吸込口１８ａおよび側部吸込口２１ａ，２１ｂから室外側熱交換室６に吸い込まれた空気がベルマウス１９ａを有する導風板１９によって室外熱交換器１１に導かれ、室外熱交換器１１で冷媒と熱交換されたのち、図２の矢印Ｂ１，Ｃ１に示すように室外側の側部吹出口２１ａおよび後部吹出口２２から吹き出されるとともに、図２の矢印Ｂ２，Ｃ２に示すように、室外側の側部吹出口２１ｂおよび後部吹出口２２から外部に吹き出される。
【００２５】
その際、複数の側部吸込ルーバー１７ｂ１と複数の側部吹出ルーバー２０ａとは、図３に示すように、外箱１の外面先端側が拡開するように傾斜角θａ，θｂ，θｃを有しているため、室外側の側部吹出口２１ａから吹き出される空気が、室外側の側部吸込口１８ｂ１から遠ざかるように吹き出される。
【００２６】
また同様に、複数の側部吸込ルーバー１７ｂ２と複数の側部吹出ルーバー２０ｂとは、外箱１の外面先端側が拡開するように傾斜角（図示せず）を有しているため、室外側の側部吹出口２１ｂから吹き出される空気が、室外側の側部吸込口１８ｂ２から遠ざかるように吹き出される。
【００２７】
室外熱交換器１１は、図２および図３に示すように、室外側の後部吹出口２２に近接対向させた後部１１ａと、室外側の側部吹出口２１ａに近接対向させた側部１１ｂ１と、室外側の側部吹出口２１ｂに近接対向させた側部１１ｂ２とを備え、側部１１ｂ１に設けた側板１１ｃ１と、側部１１ｂ２に設けた側板１１ｃ２とでベース２に固定されている。
【００２８】
外箱１の両側面に室外側の側部吹出口２１ａ，２１ｂが設けられ、また、後面に室外側の後部吹出口２２が設けられたことで、室外側の上部吸込口１８ａおよび側部吸込口１８ｂ１，１８ｂ２から室外側熱交換室６に吸い込まれ導風板１９で室外熱交換器１１に導かれた外気が、室外熱交換器１１で冷媒と熱交換されたのち、図２の矢印Ｂ１，Ｂ２に示すように室外側の後部吹出口２２から吹き出されるとともに、図２の矢印Ｃ１，Ｃ２に示すように室外側の側部吹出口２１ａ，２１ｂから吹き出されることになる。
【００２９】
室外側の側部吸込ルーバー１７ｂ１，１７ｂ２は、外箱１の外面先端側が建屋の壁体２４の側に傾斜することで、外箱１に対し図３に示す傾斜角θ１を有しており、側部吸込口１８ｂ１，１８ｂ２から吸い込まれる外気が、壁体２４の側に傾斜した複数の側部吸込ルーバー１７ｂ１，１７ｂ２と壁体２４とによって、室外側熱交換室６のプロペラファン１２に向かうようにガイドされる。
【００３０】
また、室外側の側部吹出ルーバー２０ａ，２０ｂは、外箱１の外面先端側が室外側の後部吹出口２２の側に傾斜することで、外箱１に対し図３に示す傾斜角θ２，θ３，θ４を有しており、傾斜した複数の側部吹出ルーバー２０ａ，２０ｂによって、室外熱交換器１１で冷媒と熱交換されて室外側の側部吹出口２１ａ，２１ｂから吹き出される空気が、図２および図３の矢印Ｃ１，Ｃ２に示すように、室外側の側部吸込口１８ｂ１，１８ｂ２から遠ざかるようにガイドされる。
【００３１】
複数の側部吸込ルーバー１７ｂ１，１７ｂ２は所定の傾斜角θ１を有して平行に形成されており、この側部吸込ルーバー１７ｂ１，１７ｂ２と、傾斜角θ２，θ３，θ４を有した側部吹出ルーバー２０ａ，２０ｂとは、外箱１の外面先端側が拡開するように傾斜角θａ，θｂ，θｃを有している。
【００３２】
なお、複数の側部吸込ルーバー１７ｂ１，１７ｂ２は、所定の傾斜角θ１を有して平行に形成される構成に限らず、側部吹出ルーバー２０ａ，２０ｂの近傍に位置する側部吸込ルーバー１７ｂ１，１７ｂ２の傾斜角を小さくすることで、図３に示す傾斜角θａが大きくなる構成にしてもよい。
【００３３】
側部吸込ルーバー１７ｂ１，１７ｂ２と、その近傍に位置する複数の側部吹出ルーバー２０ａ，２０ｂとがなす傾斜角θａに較べて、側部吸込ルーバー１７ｂ１，１７ｂ２と、傾斜角θａをなす側部吹出ルーバー２０ａ，２０ｂに隣接して、後部吹出口２２の側に位置する複数の側部吹出ルーバー２０ａ，２０ｂとがなす傾斜角θｂが小さくなるように形成されている。
【００３４】
また、側部吸込ルーバー１７ｂ１，１７ｂ２と、傾斜角θｂをなす側部吹出ルーバー２０ａ，２０ｂに隣接して、後部吹出口２２の側に位置する複数の側部吹出ルーバー２０ａ，２０ｂとがなす傾斜角θｃが傾斜角θｂに較べて小さくなるように形成されることで、傾斜角θａ＞傾斜角θｂ＞傾斜角θｃとなっている。
【００３５】
複数の側部吸込ルーバー１７ｂ１，１７ｂ２と、複数の側部吹出ルーバー２０ａ，２０ｂとは、外箱１の外面先端側が拡開するように傾斜角θａ，θｂ，θｃを有することで、図３に一側部の矢印Ｃ１を示すように、Ｖ字状に空気流を沿わせることができ、室外側の側部吸込口１８ｂ１，１８ｂ２からの吸込空気流および室外側の側部吹出口２１ａ，２１ｂからの吹出空気流とも、空気抵抗を抑えることができる。
【００３６】
その際、室外側熱交換室６の前後寸法を小型化することで室外側の側部吸込口１８ｂ１と側部吹出口２１ａとが近接し、側部吸込口１８ｂ２と側部吹出口２１ｂとが近接しても、外箱１の外面先端側が傾斜角θａ，θｂ，θｃで拡開しているため、室外側の側部吹出口２１ａ，２１ｂからの吹出空気流の一部が、室外側の側部吸込口１８ｂ１，１８ｂ２から吸い込まれるショートサーキットの発生を防止できる。
【００３７】
従って、運転時に、室外熱交換器１１で冷媒とで熱交換された側部吹出口２１ａ，２１ｂからの吹出空気の一部が、側部吸込口１８ｂ１，１８ｂ２から吸い込まれる吸込空気に混入することを防止できるので、室外熱交換器９の熱交換効率を向上させることができる。
【００３８】
また、図２に示すように、室外熱交換器１１は、両側部１１ｂ１，１１ｂ２が左右対象になるように折曲形成して配置され、複数の側部吹出ルーバー２０ａ，２０ｂは、両側部１１ｂ１，１１ｂ２が近接対向する外箱１の両側面に左右対象に設けられている。
【００３９】
複数の側部吹出ルーバー２０ａ，２０ｂは、図２および図３に示すように、室外熱交換器１１の側板１１ｃ１，１１ｃ２から離間部Ｌ１，Ｌ２のように離間させることで、側板１１ｃ１，１１ｃ２よりも室外側の後部吹出口２２寄りに配置されている。
【００４０】
複数の側部吹出ルーバー２０ａ，２０ｂは、側部吸込ルーバー１７ｂ１，１７ｂ２の近傍での外箱１に対する傾斜角θ２が、傾斜角θ２をなす側部吹出ルーバー２０ａ，２０ｂに隣接して、後部吹出口２２の側に位置する複数の側部吹出ルーバー２０ａ，２０ｂの傾斜角θ３に較べて小さい角度に形成されている。
【００４１】
また、傾斜角θ３をなす複数の側部吹出ルーバー２０ａ，２０ｂは、傾斜角θ３をなす側部吹出ルーバー２０ａ，２０ｂに隣接して、後部吹出口２２の側に位置する複数の側部吹出ルーバー２０ａ，２０ｂの傾斜角θ４に較べて小さい角度に形成されることで、傾斜角θ２＜傾斜角θ３＜傾斜角θ４となっている。
【００４２】
そのため、傾斜角θ２を有した複数の側部吹出ルーバー２０ａ，２０ｂにより、室外側の側部吸込口１８ｂ１，１８ｂ２に近接した室外側の側部吹出口２１ａ，２１ｂからの吹出空気流が側部吸込口１８ｂ１，１８ｂ２から遠ざかるようにガイドされて、ショートサーキットの発生を防止できる。
【００４３】
傾斜角θ３を有した複数の側部吹出ルーバー２０ａ，２０ｂは、傾斜角θ２を有した複数の側部吹出ルーバー２０ａ，２０ｂに較べて側部吹出口２１ａ，２１ｂをなす開口を大きく形成し、傾斜角θ４を有した複数の側部吹出ルーバー２０ａ，２０ｂは、傾斜角θ３を有した複数の側部吹出ルーバー２０ａ，２０ｂに較べて側部吹出口２１ａ，２１ｂをなす開口を大きく形成している。
【００４４】
そのため、開口を大きく形成した側部吹出口２１ａ，２１ｂが、吹出空気流量が集中しやすい後部吹出口２２の側に位置するようになって、側部吹出口２１ａ，２１ｂから吹き出される吹出空気流に対する抵抗を低減できるようになる。
【００４５】
以上説明したように、本発明の構成によれば、複数の側部吸込ルーバー１７ｂ１，１７ｂ２と複数の側部吹出ルーバー２０ａ，２０ｂとは、外箱１の外面先端側が拡開する傾斜角θａ，θｂ，θｃをもたせたことによって、室外側の側部吸込口１８ｂ１，１８ｂ２と室外側の側部吹出口２１ａ，２１ｂとの間におけるショートサーキットの発生を防止し、冷房運転時に温度上昇した側部吹出口２１ａ，２１ｂからの吹出空気の一部が、側部吸込口１８ｂ１，１８ｂ２からの吸込空気に混入することを防ぎ、室外熱交換器１１の熱交換効率を向上させるようにした一体型空気調和機となる。
【符号の説明】
【００４６】
１  外箱
２  ベース
３  内部ユニット
４  仕切板
５  室内側熱交換室
６  室外側熱交換室
７  室内熱交換器
８  シロッコファン
９  ダクト
１０  前面パネル
１１  室外熱交換器
１１ａ  後部
１１ｂ１，１１ｂ２  側部
１１ｃ１，１１ｃ２  側板
１２  プロペラファン
１３  ファンモータ
１４  圧縮機
１５  室内側吸込口
１６  室内側吹出口
１７ａ  上部吸込ルーバー
１７ｂ１，１７ｂ２  側部吸込ルーバー
１８ａ  室外側の上部吸込口
１８ｂ１，１８ｂ２  室外側の側部吸込口
１９  導風板
１９ａ  ベルマウス
２０ａ，２０ｂ  側部吹出ルーバー
２１ａ，２１ｂ  室外側の側部吹出口
２２  室外側の後部吹出口
２３  据付台
２４  建屋の壁体
【図１】
2013072592.tif 000003
【図２】
2013072592.tif 000004
【図３】
2013072592.tif 000005
【図４】
2013072592.tif 000006
【図５】
2013072592.tif 000007